(57)【特許請求の範囲】
【請求項１】
ラジエータコアの左右両側に入口タンク部および出口タンク部を備えるとともにラジエータコアに対面するラジエータファンを備えたクロスフロー型のラジエータと、前記入口タンク部に繋がって前記ラジエータに冷却液を導入する入口配管とを有する冷却回路を備えた、エンジンの冷却装置において、
前記入口配管は、前記入口タンク部よりも上方の位置でラジエータに沿って水平に延びる水平管部と、この水平管部の途中に形成された上向きに凹むエア溜め部と、前記水平管部の下流側の端部と前記入口タンク部の上端部とを繋ぐ配管部と、前記エア溜め部に溜まった空気を排出する排気部とを備え、
前記配管部を第３配管部と定義したときに、
前記入口配管は、前記水平管部の上流側の端部に繋がる第１配管部と、前記水平管部の途中であって前記ラジエータの左右方向中間部の位置から分岐して前記ラジエータファンに沿って斜め下向きに延びる分岐管部と、前記入口タンク部における前記第３配管部の接続位置よりも下方の位置で当該入口タンク部に接続されることによって当該入口タンク部と前記分岐管部とを繋ぐ第２配管部とをさらに備え、
前記エア溜め部は、前記水平管部のうち、前記分岐管部が分岐する位置に設けられている、ことを特徴とするエンジンの冷却装置。
【請求項２】
請求項１に記載のエンジンの冷却装置において、
前記エア溜め部は、前記冷却回路へ冷却液を注入するための筒状の注入口部であり、
前記排気部は、前記注入口部を開閉可能なキャップであってかつ前記冷却回路の内外が特定の圧力よりも高くなると開弁して前記空気を外部に排気するバルブ付きキャップである、ことを特徴とするエンジンの冷却装置。
【請求項３】
請求項１又は２に記載のエンジンの冷却装置において、
前記第２配管部の径が前記第３配管部の径よりも大きい、ことを特徴とするエンジンの冷却装置。
【請求項４】
請求項１乃至３の何れか一項に記載のエンジンの冷却装置において、
前記入口配管は、前記水平管部、前記エア溜め部および前記分岐管部を一体的に備えた継手部材と、前記水平管部にそれぞれ接続されて前記第１、第３配管部を構成する第１、３配管と、前記分岐管部に接続されて前記第２配管部を構成する第２配管とから構成され、
前記継手部材は、前記水平管部の上流側の端部に設けられて前記第１配管が接続される第１継手ポート部と、前記水平管部の下流側の端部に設けられて前記第３配管が接続される第３継手ポート部と、前記分岐管部の端部に設けられて前記第２配管が接続される第２継手ポート部とを有する、ことを特徴とするエンジンの冷却装置。
【請求項５】
請求項４に記載のエンジンの冷却装置において、
前記継手部材は、車両前部に備えられるシュラウドパネルへの取付部をさらに備えている、ことを特徴とするエンジンの冷却装置。
【請求項６】
請求項４又は５に記載のエンジンの冷却装置の製造方法であって、
前記第１継手ポート部および前記第３継手ポート部の一方をメインポート部、他方をサブポート部と定義するとともに、前記水平管部の一方側の端部を第１端部、他方側の端部
を第２端部と定義したときに、
前記水平管部、前記注入口部、前記分岐管部および前記第２継手ポート部を成型する母型と、この母型に着脱可能な金型であって前記メインポート部を前記水平管部の第１、第２端部のうち何れかに選択的に成型するための交換型とを含む第１金型を用いて、前記水平管部、前記注入口部、前記分岐管部、第２継手ポート部および前記メインポート部を含み、かつ前記水平管部の前記第１端部に前記メインポート部が形成された第１成型体を成型する第１成型工程と、
前記第１金型を用いて、前記水平管部、前記注入口部、前記分岐管部、第２継手ポート部および前記メインポート部を含み、かつ前記水平管部の前記第２端部に前記メインポート部が形成された第２成型体を成型する第２成型工程と、
前記第１金型とは異なる第２金型を用いて、前記サブポート部を成型する第３成型工程と、
前記第１成型体における水平管部の前記第２端部に前記サブポート部を接合することにより、前記水平管部の第１端部にメインポート部を、第２端部にサブポート部をそれぞれ備えた第１継手部材を組み立てる第１組立工程と、
前記第２成型体における前記水平管部の前記第１端部に前記サブポート部を接合することにより、前記水平管部の第１端部にサブポート部を、第２端部にメインポート部をそれぞれ備えた第２継手部材を組み立てる第２組立工程と、
前記第１継手部材又は前記第２継手部材の何れか一方を用いて、前記冷却回路を構築する回路構築工程と、を含む、ことを特徴とするエンジンの冷却装置の製造方法。
【請求項７】
ラジエータコアの左右両側に入口タンク部および出口タンク部を備えたクロスフロー型のラジエータと、前記入口タンク部に繋がって前記ラジエータに冷却液を導入する入口配管とを有する冷却回路を備え、
前記入口配管は、前記入口タンク部よりも上方の位置でラジエータに沿って水平に延びる水平管部と、この水平管部の途中に形成された上向きに凹むエア溜め部と、前記水平管部の下流側の端部と前記入口タンク部の上端部とを繋ぐ配管部と、前記エア溜め部に溜まった空気を排出する排気部とを備え、
前記配管部を第３配管部と定義したときに、
前記入口配管は、前記水平管部の上流側の端部に繋がる第１配管部と、前記水平管部の途中から下向きに分岐する分岐管部と、前記入口タンク部における前記第３配管部の接続位置よりも下方の位置で当該入口タンク部に接続されることによって当該入口タンク部と前記分岐管部とを繋ぐ第２配管部とをさらに備え、
前記第２配管部の径が前記第３配管部の径よりも大きく、
前記入口配管は、前記水平管部、前記エア溜め部および前記分岐管部を一体的に備えた継手部材と、前記水平管部にそれぞれ接続されて前記第１、第３配管部を構成する第１、３配管と、前記分岐管部に接続されて前記第２配管部を構成する第２配管とから構成され、
前記継手部材は、前記水平管部の上流側の端部に設けられて前記第１配管が接続される第１継手ポート部と、前記水平管部の下流側の端部に設けられて前記第３配管が接続される第３継手ポート部と、前記分岐管部の端部に設けられて前記第２配管が接続される第２継手ポート部とを有する、エンジンの冷却装置の製造方法であって、
前記第１継手ポート部および前記第３継手ポート部の一方をメインポート部、他方をサブポート部と定義するとともに、前記水平管部の一方側の端部を第１端部、他方側の端部
を第２端部と定義したときに、
前記水平管部、前記注入口部、前記分岐管部および前記第２継手ポート部を成型する母型と、この母型に着脱可能な金型であって前記メインポート部を前記水平管部の第１、第２端部のうち何れかに選択的に成型するための交換型とを含む第１金型を用いて、前記水平管部、前記注入口部、前記分岐管部、第２継手ポート部および前記メインポート部を含み、かつ前記水平管部の前記第１端部に前記メインポート部が形成された第１成型体を成型する第１成型工程と、
前記第１金型を用いて、前記水平管部、前記注入口部、前記分岐管部、第２継手ポート部および前記メインポート部を含み、かつ前記水平管部の前記第２端部に前記メインポート部が形成された第２成型体を成型する第２成型工程と、
前記第１金型とは異なる第２金型を用いて、前記サブポート部を成型する第３成型工程と、
前記第１成型体における水平管部の前記第２端部に前記サブポート部を接合することにより、前記水平管部の第１端部にメインポート部を、第２端部にサブポート部をそれぞれ備えた第１継手部材を組み立てる第１組立工程と、
前記第２成型体における前記水平管部の前記第１端部に前記サブポート部を接合することにより、前記水平管部の第１端部にサブポート部を、第２端部にメインポート部をそれぞれ備えた第２継手部材を組み立てる第２組立工程と、
前記第１継手部材又は前記第２継手部材の何れか一方を用いて、前記冷却回路を構築する回路構築工程と、を含む、ことを特徴とするエンジンの冷却装置の製造方法。
【発明の詳細な説明】
【技術分野】
【０００１】
本発明は、エンジン冷却用の冷却液が循環する冷却回路を有するエンジンの冷却装置に関し、特に、冷却回路に混入した空気を抜くための機能を備えたエンジンの冷却装置に関する。
【背景技術】
【０００２】
ラジエータ、当該ラジエータとエンジンとを接続する配管、およびポンプからなる冷却回路を含み、冷却水（冷却液）を循環させることにより、エンジンを継続的に冷却するエンジンの冷却装置が周知である。エンジンの冷却装置では、冷却水を冷却回路に注入する際に、冷却水と共に冷却回路内に空気が混入し易い。冷却回路内に混入した空気がラジエータに流れ込んだ場合には、冷却水とラジエータとの伝熱面積が減少するので、冷却水の熱がラジエータで十分に放熱されず、エンジンの冷却効率が低下するおそれがある。
【０００３】
そこで、例えば特許文献１には、放熱コア（ラジエータコア）の両側に上流側ラジエータタンク（入口タンク部）および下流側ラジエータタンク（出口タンク部）を備えた、いわゆるクロスフロー型のラジエータにおいて、入口タンク部の内側上部に、円筒状の仕切り部材によって気液分離空間を形成したものが提案されている。このラジエータによれば、冷却水が仕切り部材の内周面に沿って旋回しながら降下し、その過程で空気が分離されて、上流側タンクの天井部に接続された空気抜き配管を介して外部に排出される。そのため、冷却水の循環中に、冷却回路から空気を抜き出すことが可能となる。
【先行技術文献】
【特許文献】
【０００４】
【特許文献１】特開２００６−３３６５７５号公報
【発明の概要】
【発明が解決しようとする課題】
【０００５】
しかし、ラジエータの小型化、構造の簡素化および低廉化などの要請により、車両によっては、上記のような気液分離空間を有するラジエータを搭載することが難しい場合があり、その場合でも、冷却回路に混入した空気を良好に抜き出せるようにする必要がある。
【０００６】
本発明は、上記のような事情に鑑みてなされたものであり、クロスフロー型ラジエータを備えたエンジンの冷却装置において、比較的簡単な構成で効果的に冷却回路内の空気抜きを行える技術を提供することを目的とする。
【課題を解決するための手段】
【０００７】
上記の課題を解決するために、本発明は、ラジエータコアの左右両側に入口タンク部および出口タンク部を備えるとともにラジエータコアに対面するラジエータファンを備えたクロスフロー型のラジエータと、前記入口タンク部に繋がって前記ラジエータに冷却液を導入する入口配管とを有する冷却回路を備えた、エンジンの冷却装置において、前記入口配管は、前記入口タンク部よりも上方の位置でラジエータに沿って水平に延びる水平管部と、この水平管部の途中に形成された上向きに凹むエア溜め部と、前記水平管部の下流側の端部と前記入口タンク部の上端部とを繋ぐ配管部と、前記エア溜め部に溜まった空気を排出する排気部とを備え、前記配管部を第３配管部と定義したときに、前記入口配管は、前記水平管部の上流側の端部に繋がる第１配管部と、前記水平管部の途中であって前記ラジエータの左右方向中間部の位置から分岐して前記ラジエータファンに沿って斜め下向きに延びる分岐管部と、前記入口タンク部における前記第３配管部の接続位置よりも下方の位置で当該入口タンク部に接続されることによって当該入口タンク部と前記分岐管部とを繋ぐ第２配管部とをさらに備え、前記エア溜め部は、前記水平管部のうち、前記分岐管部が分岐する位置に設けられているものである。
【０００８】
この構成によれば、空気はその浮力で上昇するので、冷却液が水平管部を流れると、その過程で空気がエア溜め部に溜まる。また、水平管部は入口タンク部よりも上方に位置するので、エンジン停止中には、入口タンク部に入り込んだ空気が配管部を通じて水平管部
に移動することによりエア溜め部に溜まる。そして、エア溜め部に溜まった空気は、排気部から外部に排気されることとなる。そのため、入口タンク部に従来（背景技術の特許文献１）のような気液分離空間を設けることなく、簡単な構成で冷却回路の空気抜きを行うことが可能となる。
また、例えばラジエータの構造的な制約により、入口タンク部の上端部に口径の大きな配管部を接続できないような場合に有用な構成となる。つまり、この構成によれば、冷却液は、主に第２配管部を通じて入口タンク部に導入されるための、ラジエータに対する冷却液の流通が阻害されることがない。しかも、第３配管部によって水平管部と入口タンク部の上端部とが繋がっているので、エンジン停止中には、入口タンク部に入り込んだ空気が水平管部に移動（エア溜め部）することとなる。そのため、入口タンク部の上端部よりも低い位置で当該入口タンク部に冷却液を導入しながら、これによる弊害、すなわち入口タンク部に空気が溜まることを抑制することが可能となる。
また、ラジエータに付設されるファンシュラウドのファンシールドと分岐管部とが干渉することを避けながら、ラジエータの周囲にコンパクトに入口配管を配索することが可能となる。
また、エア溜め部に溜まった空気が、冷却水の流れによってかき乱されて再び冷却水と共に流通することを抑制することが可能となる。
【０００９】
より具体的には、前記エア溜め部は、前記冷却回路へ冷却液を注入するための筒状の注入口部であり、前記排気部は、前記注入口部を開閉可能なキャップであってかつ前記冷却回路内の圧力が特定の圧力よりも高くなると開弁して前記空気を外部に排気するバルブ付きキャップである。
【００１０】
この構成によれば、冷却液を注入するための注入口部がエア溜め部を兼ね、この注入口部を開閉可能なキャップが前記排気部を兼ねる合理的な構成が達成される。そのため、冷却回路の構成が複雑化することや、コスト高を伴うことを抑制しながら、当該冷却回路の空気抜きを良好に行うことが可能となる。
【００１１】
なお、上記冷却装置においては、前記第２配管部の径が前記第３配管部の径よりも大きいものであってもよい。
【００１７】
なお、上記冷却装置のさらに具体的な構成として、前記入口配管は、前記水平管部、前記エア溜め部および前記分岐管部を一体的に備えた継手部材と、前記水平管部にそれぞれ接続されて前記第１、第３配管部を構成する第１、３配管と、前記分岐管部に接続されて前記第２配管部を構成する第２配管とから構成され、前記継手部材は、前記水平管部の上流側の端部に設けられて前記第１配管が接続される第１継手ポート部と、前記水平管部の下流側の端部に設けられて前記第３配管が接続される第３継手ポート部と、前記分岐管部の端部に設けられて前記第２配管が接続される第２継手ポート部とを有するものである。
【００１８】
この構成によれば、継手部材および第１〜第３配管といった比較的少ないパーツで上記のような入口配管を構築することが可能となる。そのため、当該冷却装置の生産性を高める上で有用なものとなる。
【００１９】
この場合、前記継手部材は、車両前部に備えられるシュラウドパネルへの取付部をさらに備えているのが好適である。
【００２０】
この構成によれば、ブラケット等の専用の取付部材を別途用いることなく、配管部材を直接シュラウドパネルに取り付けることが可能となる。そのため、冷却装置の車両への組付作業性が向上する。
【００２１】
なお、このようなエンジンの冷却装置は、以下のような製造方法に基づくことで、金型を共通化しながら合理的に、かつ効率良く製造することが可能とある。
【００２２】
すなわち、本発明のエンジンの冷却装置の製造方法は、前記第１継手ポート部および前記第３継手ポート部の一方をメインポート部、他方をサブポート部と定義するとともに、前記水平管部の一方側の端部を第１端部、他方側の端部を第２端部と定義したときに、前記水平管部、前記注入口部、前記分岐管部および前記第２継手ポート部を成型する母型と、この母型に着脱可能な金型であって前記メインポート部を前記水平管部の第１、第２端部のうち何れかに選択的に成型するための交換型とを含む第１金型を用いて、前記水平管部、前記注入口部、前記分岐管部、第２継手ポート部および前記メインポート部を含み、かつ前記水平管部の前記第１端部に前記メインポート部が形成された第１成型体を成型する第１成型工程と、前記第１金型を用いて、前記水平管部、前記注入口部、前記分岐管部、第２継手ポート部および前記メインポート部を含み、かつ前記水平管部の前記第２端部に前記メインポート部が形成された第２成型体を成型する第２成型工程と、前記第１金型とは異なる第２金型を用いて、前記サブポート部を成型する第３成型工程と、前記第１成型体における水平管部の前記第２端部に前記サブポート部を接合することにより、前記水平管部の第１端部にメインポート部を、第２端部にサブポート部をそれぞれ備えた第１継手部材を組み立てる第１組立工程と、前記第２成型体における前記水平管部の前記第１端部に前記サブポート部を接合することにより、前記水平管部の第１端部にサブポート部を、第２端部にメインポート部をそれぞれ備えた第２継手部材を組み立てる第２組立工程と、前記第１継手部材又は前記第２継手部材の何れか一方を用いて、前記冷却回路を構築する回路構築工程と、を含む。
また、本発明の他の一の局面に係るエンジンの冷却装置の製造方法は、ラジエータコアの左右両側に入口タンク部および出口タンク部を備えたクロスフロー型のラジエータと、前記入口タンク部に繋がって前記ラジエータに冷却液を導入する入口配管とを有する冷却回路を備え、前記入口配管は、前記入口タンク部よりも上方の位置でラジエータに沿って水平に延びる水平管部と、この水平管部の途中に形成された上向きに凹むエア溜め部と、前記水平管部の下流側の端部と前記入口タンク部の上端部とを繋ぐ配管部と、前記エア溜め部に溜まった空気を排出する排気部とを備え、前記配管部を第３配管部と定義したときに、前記入口配管は、前記水平管部の上流側の端部に繋がる第１配管部と、前記水平管部の途中から下向きに分岐する分岐管部と、前記入口タンク部における前記第３配管部の接続位置よりも下方の位置で当該入口タンク部に接続されることによって当該入口タンク部と前記分岐管部とを繋ぐ第２配管部とをさらに備え、前記第２配管部の径が前記第３配管部の径よりも大きく、前記入口配管は、前記水平管部、前記エア溜め部および前記分岐管部を一体的に備えた継手部材と、前記水平管部にそれぞれ接続されて前記第１、第３配管部を構成する第１、３配管と、前記分岐管部に接続されて前記第２配管部を構成する第２配管とから構成され、前記継手部材は、前記水平管部の上流側の端部に設けられて前記第１配管が接続される第１継手ポート部と、前記水平管部の下流側の端部に設けられて前記第３配管が接続される第３継手ポート部と、前記分岐管部の端部に設けられて前記第２配管が接続される第２継手ポート部とを有する、エンジンの冷却装置の製造方法であって、前記第１継手ポート部および前記第３継手ポート部の一方をメインポート部、他方をサブポート部と定義するとともに、前記水平管部の一方側の端部を第１端部、他方側の端部を第２端部と定義したときに、前記水平管部、前記注入口部、前記分岐管部および前記第２継手ポート部を成型する母型と、この母型に着脱可能な金型であって前記メインポート部を前記水平管部の第１、第２端部のうち何れかに選択的に成型するための交換型とを含む第１金型を用いて、前記水平管部、前記注入口部、前記分岐管部、第２継手ポート部および前記メインポート部を含み、かつ前記水平管部の前記第１端部に前記メインポート部が形成された第１成型体を成型する第１成型工程と、前記第１金型を用いて、前記水平管部、前記注入口部、前記分岐管部、第２継手ポート部および前記メインポート部を含み、かつ前記水平管部の前記第２端部に前記メインポート部が形成された第２成型体を成型する第２成型工程と、前記第１金型とは異なる第２金型を用いて、前記サブポート部を成型する第３成型工程と、前記第１成型体における水平管部の前記第２端部に前記サブポート部を接合することにより、前記水平管部の第１端部にメインポート部を、第２端部にサブポート部をそれぞれ備えた第１継手部材を組み立てる第１組立工程と、前記第２成型体における前記水平管部の前記第１端部に前記サブポート部を接合することにより、前記水平管部の第１端部にサブポート部を、第２端部にメインポート部をそれぞれ備えた第２継手部材を組み立てる第２組立工程と、前記第１継手部材又は前記第２継手部材の何れか一方を用いて、前記冷却回路を構築する回路構築工程と、を含む。
【発明の効果】
【００２３】
以上説明したように、本発明によれば、クロスフロー型ラジエータを備えたエンジンの冷却装置において、比較的簡単な構成で効果的に冷却回路内の空気抜きを行えるようになる。
【図面の簡単な説明】
【００２４】
【図１】本発明の第１実施形態に係るエンジンの冷却装置の要部斜視図である。
【図２】上記冷却装置の入口配管の背面図である。
【図３】上記入口配管の断面図である。
【図４】本発明の第２実施形態に係るエンジンの冷却装置の要部斜視図である。
【図５】上記冷却装置の入口配管の背面図である。
【図６】上記入口配管の断面図である。
【図７】第１実施形態の変形例における入口配管の要部背面図である。
【図８】第２実施形態の変形例における入口配管の要部背面図である。
【図９】冷却装置の製造方法を説明する模式図である。
【図１０】冷却装置の製造方法を説明する模式図である。
【発明を実施するための形態】
【００２５】
以下、添付図面を参照しながら本発明の好ましい実施の一形態について詳述する。
【００２６】
（冷却装置の全体構造）
図１は、本発明の第１実施形態に係るエンジンの冷却装置の要部斜視図である。エンジンの冷却装置（以下、単に冷却装置と称す）は、自動車等の車両に搭載されるものであり、シリンダブロックおよびシリンダヘッドを有する図外のエンジン本体の内部に冷却水（冷却液の一つ）を循環させることにより、エンジン本体の各部の温度を適切な温度内に維持するものである。
【００２７】
冷却装置は、エンジン本体の内部に形成されるウォータージャケットと、エンジン本体に組付けられた図外のウォーターポンプと、ラジエータ１０と、エンジン本体とラジエータ１０とを繋ぐ配管１２と、ラジエータ１０とウォーターポンプとを繋ぐ配管１４とからなる冷却回路１を有する。前記ウォーターポンプは、エンジンにより駆動され、エンジン本体とラジエータ１０との間で冷却水を循環させる。すなわち、冷却水は、ウォーターポンプの駆動によりエンジン本体のウォータージャケットに圧送され、エンジン本体の内部を流れた後、配管１２を通じてラジエータ１０に流れ込む。ラジエータ１０に流れ込んだ冷却水は、車両前方のエアダクトから取り込まれる冷却風との間で熱交換を行うことにより冷却された後、配管１４およびウォーターポンプを介してエンジン本体に還流される。これにより、エンジン本体の内部に継続的に低温の冷却水が循環するようになっている。
【００２８】
図１は、車両に搭載された状態の上記冷却装置（冷却回路１）の一部、具体的には、ラジエータ１０とこれに接続された配管１２、１４を示している。
【００２９】
なお、以下の説明中で使用する「方向」は、特に言及する場合を除き、車両の前後左右（図１中の指標）に基づくものとする。また、「上流側」、「下流側」というときには、特に言及する場合を除き、冷却水の流動方向を基準とする。
【００３０】
ラジエータ１０は、前面視長方形状のラジエータ本体１０Ａと、このラジエータ本体１０Ａの背面（後側面）に固定されたラジエータファン１０Ｂとを備えている。
【００３１】
ラジエータ本体１０Ａは、左右方向の中央部に位置するラジエータコア２０と、その右側で当該ラジエータコア２０に沿って上下方向に延びる入口タンク部２２と、ラジエータコア２０の左側で当該ラジエータタンク２０に沿って上下方向に延びる出口タンク部２４とを有する、いわゆるクロスフロー型ラジエータにより構成されている。ラジエータ本体１０Ａおよび各タンク部２２、２４の上下方向の寸法は略同等である。
【００３２】
ラジエータ本体１０Ａは、その上端部の左右側面（各タンク部２２、２４の側面）に、各々外向きに延びる軸状の上側突起部１１ａを有するとともに、その下面の左右両端に、下向きに延びる軸状の下側突起部１１ｂとを備えている。各上側突起部１１ａは、車両前部に設けられた図外のシュラウドパネル（ラジエータサポートパネルともいう）にブラケットおよびラバーマウントを介して支持され、各下側突起部１１ｂは、前記シュラウドパネルに形成されたサポート穴にラバーマウントを介して挿入されている。これにより、ラジエータ１０（ラジエータ本体１０Ａ）は、シュラウドパネルに対して吊り下げ状態で支持されている。つまり、当例では、当該ラジエータ１０は、車両のダイナミックダンパとして機能するようにシュラウドパネルに組み付けられている。
【００３３】
詳細図を省略しているが、前記ラジエータコア２０は、上下方向に互いに平行に配列されて、各々両タンク部２２、２４を連絡する複数のチューブと、隣接する上下のチューブの間に介設された冷却フィンとを備えており、入口タンク部２２から各チューブを通じて出口タンク部２４に冷却水が流れる間に、冷却フィンを通過する冷却風と冷却水との間で熱交換を行わせるように構成されている。
【００３４】
前記入口タンク部２２は、上下方向に延びた内部空間を有しており、当該入口タンク部２２の後側面には、メインインレット２２ａおよびサブインレット２２ｂが備えられている。メインインレット２２ａは、主に冷却水をラジエータ本体１０Ａに導入するためのインレットであり、入口タンク部２２の上下方向中間部よりもやや上方の位置に設けられている。一方、サブインレット２２ｂは、後述する通り、入口タンク部２２に溜まる空気をエンジン停止時に抜くためのインレットであり、入口タンク部２２の上端部に設けられている。
【００３５】
前記出口タンク部２４は、上下方向に延びた内部空間を有しており、当該出口タンク部２４の後側面であってその上下方向中間部には、ラジエータ本体１０Ａから冷却水を導出するためのアウトレット２４ａが設けられている。
【００３６】
前記ラジエータファン１０Ｂは、上記の通りラジエータ本体１０Ａの背面（後側面）に固定されている。ラジエータファン１０Ｂは、ラジエータ本体１０Ａ側から冷却風を吸い込むことにより、ラジエータコア２０の熱交換を促進させるものであり、図外の水温センサが検出する冷却水温度が所定温度を超えたときに作動するように制御される。
【００３７】
ラジエータファン１０Ｂは、電動モータ２７を有するファン本体２６と、このファン本体２６を支持するファンシュラウド２８とを有している。ファンシュラウド２８は、前記タンク部２２、２４の後側面に設けられた取付部にボルト締結されており、これにより、ラジエータファン１０Ｂがラジエータ本体１０Ａに一体的に固定されている。
【００３８】
ラジエータ本体１０Ａには、エンジン本体から導出された冷却水を当該ラジエータ本体１０Ａに導入するための前記配管１２（インレット配管１２と称す／本発明の入口配管に相当する）と、当該ラジエータ本体１０Ａから導出される冷却水を、ウォーターポンプを介してエンジン本体に送るための前記配管１４（アウトレット配管１４と称す）とが接続されている。
【００３９】
インレット配管１２は、後述する通り、２つに分岐して、入口タンク部２２の各インレット２２ａ、２２ｂにそれぞれ接続されており、アウトレット配管１４は、出口タンク部２４のアウトレット２４ａに接続されている。
【００４０】
インレット配管１２は、図１に示すように、概略的には、車両の後方（エンジン本体側）からラジエータ１０の左側上部に向かって延び、当該左側上部で右方に屈曲してラジエータ１０の上辺に沿って延びている。そして、ラジエータ１０の左右方向中間部で二つに分岐し、右方に各々延びて各インレット２２ａ、２２ｂに接続されている。
【００４１】
インレット配管１２は、ラジエータ１０の左右方向中間部よりやや右寄りの位置に配置される継手部材３０と、この継手部材３０の上流側に接続される第１配管３２（本発明の第１配管部に相当する）と、継手部材３０の下流側にそれぞれ接続される第２、第３の配管３４、３６（本発明の第２、第３配管部に相当する）とを含む。継手部材３０は、金属又は硬質の樹脂材料で構成されており、第１〜第３の配管３２〜３６は、可撓性を有する樹脂材料で構成されている。
【００４２】
継手部材３０は、図２に示すように、ラジエータ１０に沿って左右方向に水平に延びる円筒状の水平管部４２と、この水平管部４２の途中に形成された上向きに延びる円筒状の注入口部４６と、この注入口部４６を開閉可能なキャップ４７と、水平管部４２の途中から当該水平管部４２に沿って右下向きに分岐する円筒状の分岐管部４４と、一対の取付アーム部４８とを備えている。
【００４３】
前記一対の取付アーム部４８は、水平管部４２の左右両端の上部に、当該水平管部４２から前方に向かって延在しており、前記シュラウドパネルにボルト・ナットで締結されている。これにより、継手部材３０は、図１に示すように、ファンシュラウド２８に形成された円筒状のファンシールド２８ａ（ファンを外側から覆おう部分）の上方であって、少なくとも水平管部４２が入口タンク部２２よりも上方に位置するように配置されている。
【００４４】
水平管部４２のうち、上流側の端部には、上記第１配管３２が接続される第１継手ポート部４２ａが設けられ、下流側の端部には、上記第３配管３６が接続される第３継手ポート部４２ｃが設けられ、分岐管部４４の端部には、上記第２配管３４が接続される第２継手ポート部４２ｂが設けられている。各配管３２〜３６は、それぞれ、継手ポート部４２ａ〜４２ｃに外嵌された状態で、当該継手ポート部４２ａ〜４２ｃに配管バンドで固定されている。
【００４５】
ここで、水平管部４２と分岐管部４４とは同等の径（内径）を有している。また、第１配管３２と第２配管３４とは同等の径（内径）を有している。一方、第３配管３６の径（内径）は、第１、第２の配管３２、３４のそれより小さく、例えば第１、第２の配管３２、３４の２分の一又はそれよりやや小さい値に設定されている。これにより、第１配管３２を流れる冷却水は、主に第２配管３４を通じてラジエータ１０に導入される。
【００４６】
図１に示すように、第２配管３４は、分岐管部４４の端部から略水平に右方に延び、ラジエータ１０の右側端部の位置で下方に屈曲して下方に延びて、前記メインインレット２２ａに接続されている。一方、第３配管３６は、水平管部４２の端部から若干下方にオフセットされ、ラジエータ１０の右側端部まで略水平に延びて前記サブインレット２２ｂに接続されている。そして、それぞれ配管バンドによりインレット２２ａ、２２ｂに固定されている。
【００４７】
前記注入口部４６は、冷却回路１に冷却水を注入するとともに、後述するように、冷却回路１に混入した空気を溜めるための本発明のエア溜め部を兼ねるものである。注入口部４６は、水平管部４２のうち、分岐管部４４が分岐する位置に設けられている。注入口部４６は、上向きに開口する概略筒状を成している。注入口部４６の右側面には、ノズル状の接続ポート部４６ａが水平管部４２に沿って突設されており、この接続ポート部４６ａと図外のリザーブタンクとがホース３８を介して接続されている。これにより、注入口部４６の内部（冷却回路１）とリザーブタンクとが連通している。
【００４８】
前記注入口部４６の開口は、前記キャップ４７（本発明の排気部に相当する）によって開閉される。キャップ４７は、従来周知のラジエータキャップと同様に、冷却回路１内の圧力に応じて開閉するバルブを備えたバルブ付きキャップであり、当該冷却回路１を循環する冷却水の量を一定に保つ機能を有している。すなわち、詳細図を省略するが、キャップ４７は、プレッシャバルブとバキュームバルブとを備えており、冷却水温度が上がって冷却回路１内が特定圧力以上になると、その圧力によってプレッシャバルブが開き、冷却水を前記接続ポート部４６ａからホース３８を介してリザーブタンクに移動させる一方、冷却水温度が下がって冷却回路１内の圧力が前記特定圧力よりも下がると、この圧力低下（負圧の発生）に伴い、バキュームバルブを開いてリザーブタンク内の冷却水を冷却回路１内に引き戻すように構成されている。
【００４９】
（冷却装置の作用効果）
上記冷却装置では、エンジン本体から導出された冷却水は、インレット配管１２を通じてラジエータ１０に導入される。この際、図３中の実線矢印に示すように、冷却水の大部分は、第２配管３４を通じて入口タンク部２２に導入され、一部は、第３配管３６を通じて入口タンク部２２に導入される。この場合、冷却回路１に空気が混入していると、空気はその浮力で上昇するため、図３中の破線矢印に示すように、インレット配管１２の流通過程でその上壁面に沿って流動し、冷却水が前記水平管部４２を通過する際に注入口部４６に入り込むこととなる。つまり、ウォーターポンプの駆動中（エンジンの駆動中）は、空気は冷却水と共に冷却回路１を循環するため、継手部材３０の前記水平管部４２を通過する際に前記注入口部４６に入り込み、ここに留まることとなる。
【００５０】
一方、注入口部４６に入り込まずにここを通過した空気は、主に第２配管３４を通じて入口タンク部２２へ導入される。この場合、第２配管３４は、入口タンク部２２の上端部よりも下側の位置で当該入口タンク部２２に接続されているため、空気は、入口タンク部２２の上部に溜まることとなるが、このような空気は、ウォーターポンプの停止時（エンジンの停止時）に、第３配管３６を通じて水平管部４２に移動し、注入口部４６に入り込むこととなる。つまり、入口タンク部２２の上端部は第３配管３６を介して継手部材３０の水平管部４２に繋がっており、水平管部４２は入口タンク部２２よりも上方に配置されているため、ウォーターポンプが停止して冷却水の流れが止まると、入口タンク部２２に溜まった空気は、自ずと第３配管３６を通じて水平管部４２に移動し、注入口部４６に留まることとなる。
【００５１】
なお、このように注入口部４６に溜まった空気は、上記キャップ４７を通じて排気される。詳しくは、エンジンの駆動中、冷却水の温度が上がって冷却回路１内の圧力が一定圧力以上になると、上記の通り、キャップ４７のプレッシャバルブが開くため、このとき入口タンク部２２に溜まった空気は、ホース３８を通じてリザーブタンクに移動し、リザーブタンクのキャップに形成された通気口を介して排気されることとなる。
【００５２】
このように、上記冷却装置によれば、冷却回路１に混入した空気を、インレット配管１２の途中に設けられた注入口部４６に集めながら排気することができる。そのため、従来の冷却装置（背景技術の特許文献１）のような気液分離空間を入口タンク部２２に設けることなく、比較的簡単な構成で効果的に冷却回路１の空気抜きを行うことができる。
【００５３】
特に、上記冷却装置によれば、冷却水を注入するための注入口部４６に空気を溜め、この注入口部４６を開閉するキャップ４７の機能を利用して空気を外部に排気するため、空気を溜めるためのエア溜め部として注入口部４６を兼用し、エア溜め部に溜まった空気を抜く排気部としてキャップ４７を兼用した非常に合理的な構成が達成される。そのため、冷却回路１の構成を複雑化することや、コスト高になることを抑制しながら、冷却回路１の空気抜きを合理的に行うことができるという利点がある。
【００５４】
また、この冷却装置では、ラジエータ本体１０Ａをダイナミックダンパとして機能させるべく、各タンク部２２、２４の上端側面に形成された上側突起部１１ａを介して、当該ラジエータ本体１０Ａがシュラウドパネルに吊り下げ状態で支持されるが、上記実施形態のような構成によれば、このようにダイナミックダンパとして利用されるラジエータ本体１０Ａの支持剛性を確保しつつ、冷却回路１の空気抜きを良好に行うことができるという利点もある。すなわち、入口タンク部２２の上端側面に上側突起部１１ａを有するラジエータ本体１０Ａでは、上側突起部１１ａとその周囲の強度を確保する必要があるため、入口タンク部２２の隔壁を厚肉にし、さらにメインインレット２２ａの位置を上側突起部１１ａの位置から下方に離すことにより、上側突起部１１ａの周囲に、強度低下を招くような大きな開口が形成されることを避ける必要がある。このような構成では、メインインレット２２ａの位置が必然的に低くなるため、入口タンク部２２の上部に溜まった空気は第２配管３４を通じて水平管部４２に戻ることができず、仮にサブインレット２２ｂ及び第３配管３６が無いとすれば、当該入口タンク部２２内の空気抜きが困難となる。しかし、上述の通り、入口タンク部２２には、メインインレット２２ａとは別に、当該メインインレット２２ａよりも小径のサブインレット２２ｂが入口タンク部２２の上端部に設けられており、ウォーターポンプの停止中に、入口タンク部２２に溜まった空気がサブインレット２２ｂ及び第３配管３６を通じて上記注入口部４６に移動するようになっている。つまり、上側突起部１１ａの周囲に大きな開口が形成されることを避けながら、入口タンク部２２内に溜まった空気を抜くことができる。そのため、上記実施形態の冷却装置によれば、上記の通り、ラジエータ本体１０Ａの支持剛性を確保しつつ、冷却回路１の空気抜きを良好に行うことができるという利点がある。
【００５５】
（冷却装置の変形例等）
（１）上述した冷却装置は、図１に示すように、ラジエータ１０の中央部よりも左側の位置で、エンジン本体からラジエータ１０に向かって第１配管３２（インレット配管１２）が配索される場合に適した構成であり、例えば、ラジエータ１０の中央部よりも右側の位置で、エンジン本体からラジエータ１０に向かって第１配管３２が配索されるような場合には、図４〜図６に示すような構成であってもよい。
【００５６】
図４〜図６に示す例では、継手部材３０は、水平管部４２の右端に第１継手ポート部４２ａが設けられ、左側に第３継手ポート部４２ｃが設けられている。そして、図４に示すように、第３継手ポート部４２ｃに接続された第３配管３６は、水平管部４２の左側端部の位置から下方に向かいながら右側にＵターンし、第１配管３２と第２配管３４との間の位置をほぼ水平に右方に向かって延びて、入口タンク部２２のサブインレット２２ｂに接続されている。なお、図４等の例では、注入口部４６の接続ポート部４６ａは、注入口部４６の左側に設けられている。
【００５７】
この変形例の構成では、冷却水は、図６に示すように、水平管部４２の右端部から継手部材３０に流れ込み、冷却水の大部分は、鋭角に流れを変えながら第２配管３４を通じて入口タンク部２２に導入され、一部は、水平管部４２の左端部（第３継手ポート部４２ｃ）から第３配管３６を通じて入口タンク部２２に導入される。この場合も、冷却回路１に混入した空気は、図１等に示した冷却装置と同様に、インレット配管１２を流通する過程で注入口部４６に入り込むことにより、キャップ４７、ホース３８及びリザーブタンクを介して排気されることとなる。従って、図１等に示した冷却装置と同等の作用効果を奏することができる。
【００５８】
このような図４等に示す構成によれば、ラジエータ１０の中央部よりも右側の位置で、エンジン本体からラジエータ１０に向かって第１配管３２が配索されるような場合に、第１配管３２をラジエータ１０の後方で大きく引き回すことなくコンパクトにレイアウトすることができ、しかも、ラジエータ本体１０Ａの支持剛性を確保しつつ、冷却回路１の空気抜きを良好に行うという、図１等に示した冷却装置と同等の作用効果を享受することができる。
【００５９】
（２）図１〜図６の例は、ラジエータ本体１０Ａの右側に入口タンク部２２が、左側に出口タンク部２４がそれぞれ備えられた例であるが、ラジエータ本体１０Ａは、その左側に入口タンク部２２が、右側に出口タンク部２４がそれぞれ備えられた構成でもよい。
【００６０】
この場合、ラジエータ１０の中央部よりも右側の位置で、エンジン本体からラジエータ１０に向かって第１配管３２（インレット配管１２）が配索される場合には、図７に示すように、アウトレット配管１４の構成を、図１等に示した例と左右対称な構成とすればよい。同様に、ラジエータ１０の中央部よりも左側の位置で、エンジン本体からラジエータ１０に向かって第１配管３２（インレット配管１２）が配索される場合には、図８に示すように、アウトレット配管１４の構成を、図４等に示した例と左右対称な構成とすればよい。
【００６１】
このような構成によれば、ラジエータ本体１０Ａの左側に入口タンク部２２が、右側に出口タンク部２４がそれぞれ備えられる場合にも、図１〜６等に示した冷却装置と同等の作用効果を享受することができる。
【００６２】
（３）図２および図５に示すような冷却装置（冷却回路１）は、次のような製造方法を採用することにより合理的に、かつ効率良く構築することが可能となる。
【００６３】
この製造方法は、以下に説明する、第１成型工程、第２成型工程、第３成型工程、第１組立工程、第２組立工程および回路構築工程とを含む。なお、以下の説明では、水平管部４２の端部のうち、分岐管部４４の開口側と同じ側（図２の例では右側）に位置する端部を第２端部、これと反対側に位置する端部を第１端部と称する。
【００６４】
第１成型工程では、水平管部４２、注入口部４６、分岐管部４４および第１継手ポート部４２ａ（本発明のメインポート部に相当する）を成型する母型と、この母型に着脱可能な金型であって第１継手ポート部４２ａを水平管部４２の第１、第２端部のうち何れかに選択的に成型するための交換型とを含む図外の第１金型を用いて、図９（ａ）に示すように、水平管部４２、注入口部４６、分岐管部４４、第１継手ポート部４２ａおよび第２継手ポート部４２ｂを含み、かつ水平管部４２の第１端部（左端）に第１継手ポート部４２ａが形成された第１成型体３１Ａを成型する。
【００６５】
第２成型工程では、前記第１金型を用いて、図９（ｂ）に示すように、水平管部４２、注入口部４６、分岐管部４４、第１継手ポート部４２ａおよび第２継手ポート部４２ｂを含み、かつ水平管部４２の第２端部（右端）に第１継手ポート部４２ａが形成された第２成型体３１Ｂを成型する。
【００６６】
第３成型工程では、前記第１金型とは異なる図外の第２金型を用いて、第３継手ポート部４２ｃ（本発明のサブポート部に相当する）を成型する。
【００６７】
第１組立工程では、図１０（ａ）に示すように、第１成型工程で成型した前記第１成型体３１Ａの水平管部４２の第２端部に、第３成型工程で成型した第３継手ポート部４２ｃを超音波溶接等の接合方法により接合する。これにより、水平管部４２の第１端部に第１継手ポート部４２ａが、第２端部に第３継手ポート部４２ｃがそれぞれ備えられた第１継手部材３０Ａ（図２に示す継手部材３０）を組み立てる。
【００６８】
第２組立工程では、図１０（ｂ）に示すように、第２成型工程で成型した前記第２成型体３１Ｂの水平管部４２の第１端部に第３継手ポート部４２ｃを超音波溶接等の接合方法により接合する。これにより、水平管部４２の第１端部に第３継手ポート部４２ｃが、第２端部に第１継手ポート部４２ａがそれぞれ備えられた第２継手部材３０Ｂ（図５に示す継手部材３０）を組み立てる。
【００６９】
回路構築工程では、第１組立工程で組み立てられた第１継手部材３０Ａ、又は第２組立工程で組み立てられた第２継手部材３０Ｂの何れか一方を用いて冷却回路１を構築する。具体的には、ラジエータ１０の中央部よりも左側の位置で、エンジン本体からラジエータ１０に向かって第１配管３２が配索されるような車両の場合には、第１継手部材３０Ａを用いて図１〜３に示すような冷却回路１を構築する。一方、ラジエータ１０の中央部よりも右側の位置で、エンジン本体からラジエータ１０に向かって第１配管３２が配索されるような車両の場合には、第２継手部材３０Ｂを用いて図４〜６に示すような冷却回路１を構築する。
【００７０】
このような冷却装置（冷却回路１）の製造方法によれば、第１継手部材３０Ａと第２継手部材３０Ｂを、金型を共通化しながら製造することができる。そして、車両（第１配管３２の経路）に応じて、これら第１、第２継手部材３０Ａ、３０Ｂを使い分けることで、インレット配管１２をコンパクトにラジエータ１０の周囲に配索することが可能となる。従って、冷却装置（冷却回路１）を合理的に、かつ効率良く構築することが可能なる。
【００７１】
なお、図７、図８に示すような冷却装置（冷却回路１）についても、同様の製造方法に基づいて製造することが可能である。
【００７２】
（４）図１〜図８に示す継手部材３０では、ラジエータ本体１０Ａの中央部にファンシールド２８ａを避けつつ継手部材３０を配置するために、分岐管部４４が、水平管部４２に沿って斜め下向きに延びる構成であるが、例えば、継手部材３０の位置がラジエータ本体１０Ａの中央部から右側、又は左側にオフセットされるような場合、すなわち、ファンシールド２８ａが分岐管部４４の邪魔にならない場合には、継手部材３０は、分岐管部４４が水平管部４２から真下に垂直に延びたＴ字型の構成であってもよい。この場合、前記取付アーム部４８に代えて、例えば水平管部４２の上部における注入口部４６の左右両側の均等な位置に取付部を設け、当該取付部をシュラウドパネルから後向きに延ばした取付ブラケットに固定するように構成するのが好適である。この構成によれば、入口タンク部２２と出口タンク部２４とが互いに左右逆に配置される２種類のラジエータ本体１０Ａの間で、継手部材３０を左右反転させて使用することが可能となる。そのため、２種類のラジエータ本体１０Ａの間で継手部材３０を共通使いしながら、インレット配管１２を合理的に構成できるという利点がある。
【符号の説明】
【００７３】
１  冷却回路
１０  ラジエータ
１０Ａ  ラジエータ本体（クロスフロー型ラジエータ）
１０Ｂ  ラジエータファン
１２  インレット配管（入口配管）
１４  アウトレット配管
２０  ラジエータコア
２２  入口タンク部
２２ａ  メインインレット
２２ｂ  サブインレット
２４  出口タンク部
２４ａ  アウトレット
３０  継手部材
３２  第１配管
３４  第２配管
３６  第３配管
４２  水平管部
４４  分岐管部
４６  注入口部
４７  キャップ（排気部）
【図１】
0006341220.tif 000002
【図２】
0006341220.tif 000003
【図３】
0006341220.tif 000004
【図４】
0006341220.tif 000005
【図５】
0006341220.tif 000006
【図６】
0006341220.tif 000007
【図７】
0006341220.tif 000008
【図８】
0006341220.tif 000009
【図９】
0006341220.tif 000010
【図１０】
0006341220.tif 000011